(57)【要約】【課題】ネットワークから送信した案内やコマーシャルなどの各種の映像データをテレビの電源オンと共に表示する。【解決手段】映像表示装置に接続され、ネットワークからの映像データをテレビ１０において表示させる。テレビ１０の電源がオンとされたか否かを監視する監視手段７１と、前記監視手段７１によって電源がオンとされたことを検出すると、テレビ１０に表示すべき映像データの有無を検出する検出手段７２と、前記検出手段７２が映像データ有りを検出した場合に、テレビ１０へ入力切換要求を送出する入力切換制御手段７３と、前記入力切換要求が送出された場合に、ネットワークからの映像データをテレビ１０へ送信するデータ送信手段７４とを具備する。【選択図】図１
2015053631.tif 000002
【特許請求の範囲】
【請求項１】
映像表示装置に接続され、ネットワークからの映像データを前記映像表示装置において表示させるデバイスにおいて、
前記映像表示装置の電源がオンとされたか否かを監視する監視手段と、
前記監視手段によって電源がオンとされたことが検出されると、前記映像表示装置に表示すべき映像データの有無を検出する検出手段と、
前記検出手段が映像データ有りを検出した場合に、前記映像表示装置へ入力切換要求を送出する入力切換制御手段と、
前記入力切換要求が送出された場合に、ネットワークからの映像データを前記映像表示装置へ送信するデータ送信手段と
を具備することを特徴とするデバイス。
【請求項２】
検出手段は、表示すべき映像データの有無をネットワークに接続されたサーバに問い合わせ、この問い合わせ結果に基づき前記映像表示装置に表示すべき映像データの有無を検出することを特徴とする請求項１に記載のデバイス。
【請求項３】
ネットワークからの映像データを記憶するための記憶部を有し、
検出手段は、前記記憶手段に映像データが記憶されているか否かに基づき前記映像表示装置に表示すべき映像データの有無を検出することを特徴とする請求項１または２に記載のデバイス。
【請求項４】
映像表示装置とデバイス間では、電源オンのステータスの信号と入力切換要求のコマンドの信号とを少なくとも含む所定規格による信号を用い、
監視手段は、前記映像表示装置から送られる前記所定規格による、電源オンのステータスの信号に基づき監視を行い、
入力切換制御手段は、前記所定規格によるコマンドの信号により入力切換要求を送出することを特徴とする請求項１乃至３のいずれか１項に記載のデバイス。
【請求項５】
所定規格は、ＨＤＭＩ−ＣＥＣであることを特徴とする請求項４に記載のデバイス。
【請求項６】
映像表示装置と、
サーバと、
請求項１乃至５のいずれか１項に記載のデバイスと
により構成されることを特徴とする表示システム。
【発明の詳細な説明】
【技術分野】
【０００１】
この発明は、映像表示装置に接続され、ネットワークからの映像データを前記映像表示装置において表示させるデバイス、及びこのデバイスを用いて構成した表示システムに関するものである。なお、映像データには、動画像、静止画像、テキストによる画像など、表示装置に表示可能な全ての形式のデータが含まれるものとする。
【背景技術】
【０００２】
近年、映像表示装置としてのテレビを用いて映像データを表示させるようにした表示システムが知られている。この表示システムでは、テレビに映像データを送信するデバイス側が主導的に表示を行うことは行われていない。
【０００３】
上記のような表示システムに対し、デバイスの電源オンにより自動的に再生画像がテレビ画面に表示されるようにしたシステムが知られている。
【０００４】
上記表示システムは、電子アルバム装置の電源スイッチ又は遠隔操作装置の電源オン・スイッチがオンになると、電子アルバム装置は、画像処理回路から初期表示画面の画像信号を出力すると共に、発光装置からテレビの受光部にテレビの入力を外部入力に切り換える入力切換え制御信号を出力するというものである（特許文献１）。
【先行技術文献】
【特許文献】
【０００５】
【特許文献１】特開２０００−３５０１３１号公報
【発明の概要】
【発明が解決しようとする課題】
【０００６】
上記では、電子アルバム装置が表示する画像データは、内部に記憶されたものを用いるだけであり、適宜ネットワークから更新しながら表示を行うものではない。近年において、ネットワークから送信した案内やコマーシャル等のコンテンツをテレビの電源オンと共に表示することで、効果的な広告や報知を行うようにしたいという要求がある。
【０００７】
本発明はこのような要求に応えるためになされたもので、その目的は、ネットワークから送信した案内やコマーシャルなどの各種の映像データをテレビの電源オンと共に表示することを可能にするデバイスを提供することである。また、本発明は、このようなデバイスを用いて構成した表示システムを提供することを他の目的とする。
【課題を解決するための手段】
【０００８】
本発明に係るデバイスは、映像表示装置に接続され、ネットワークからの映像データを前記映像表示装置において表示させるデバイスにおいて、前記映像表示装置の電源がオンとされたか否かを監視する監視手段と、前記監視手段によって電源がオンとされたことが検出されると、前記映像表示装置に表示すべき映像データの有無を検出する検出手段と、前記検出手段が映像データ有りを検出した場合に、前記映像表示装置へ入力切換要求を送出する入力切換制御手段と、前記入力切換要求が送出された場合に、ネットワークからの映像データを前記映像表示装置へ送信するデータ送信手段とを具備することを特徴とする。
【０００９】
本発明に係るデバイスは、検出手段は、表示すべき映像データの有無をネットワークに接続されたサーバに問い合わせ、この問い合わせ結果に基づき前記映像表示装置に表示すべき映像データの有無を検出することを特徴とする。
【００１０】
本発明に係るデバイスは、ネットワークからの映像データを記憶するための記憶部を有し、検出手段は、前記記憶手段に映像データが記憶されているか否かに基づき前記映像表示装置に表示すべき映像データの有無を検出することを特徴とする。
【００１１】
本発明に係るデバイスは、映像表示装置とデバイス間では、電源オンのステータスの信号と入力切換要求のコマンドの信号とを少なくとも含む所定規格による信号を用い、監視手段は、前記映像表示装置から送られる前記所定規格による、電源オンのステータスの信号に基づき監視を行い、入力切換制御手段は、前記所定規格によるコマンドの信号により入力切換要求を送出することを特徴とする。
【００１２】
本発明に係るデバイスでは、所定規格は、ＨＤＭＩ(登録商標)−ＣＥＣであることを特徴とする。
【００１３】
本発明に係る表示システムは、映像表示装置と、サーバと、請求項１乃至５のいずれか１項に記載のデバイスとにより構成されることを特徴とする。
【発明の効果】
【００１４】
本発明に係るデバイスでは、映像表示装置の電源がオンとされたことを検出すると、前記映像表示装置に表示すべき映像データの有無を検出して、映像データ有りを検出した場合に、上記映像表示装置へ入力切換要求を送出し、ネットワークからの映像データを上記映像表示装置へ送信するので、映像表示装置の電源がオンとされたときにネットワークからの映像データが映像表示装置に表示されることになり、強い印象をもって映像データによる映像を提供することができる。
【００１５】
本発明に係るデバイスでは、検出手段が、ネットワークに接続されたサーバに表示すべき映像データの有無を問い合わせ、この問い合わせ結果に基づき前記映像表示装置に表示すべき映像データの有無を検出するので、映像表示装置に表示したい映像を、映像表示装置電源におけるオンのときにネットワークから得て表示することができ、新しい案内などを的確に表示することができる。
【００１６】
本発明に係るデバイスでは、ネットワークからの映像データを記憶するための記憶部を有し、検出手段は、前記記憶手段に映像データが記憶されているか否かに基づき前記映像表示装置に表示すべき映像データの有無を検出するので、映像データの取り込みを映像表示装置電源における電源オンとは無関係に行うことができる。
【図面の簡単な説明】
【００１７】
【図１】本発明に係るデバイス及び表示システムの実施形態の機能ブロック図。
【図２】本発明に係るデバイスの実施形態の構成図。
【図３】本発明の実施形態に係る表示システムを構成するテレビの動作を説明するためのフローチャート。
【図４】本発明に係るデバイスの第１の実施形態の動作を説明するためのフローチャート。
【図５】本発明に係るデバイスの第２の実施形態の動作を説明するためのフローチャート。
【発明を実施するための形態】
【００１８】
以下添付図面を参照して、本発明に係るデバイス及び表示システムの実施形態を説明する。各図において同一の構成要素には同一の符号を付して重複する説明を省略する。図１には、本発明に係るデバイス及び表示システムの実施形態の構成図が示されている。表示システムは、映像表示装置であるテレビ１０と、デバイスとしてのＨＤＭＩドングル２０と、サーバ３０とによって構成される。
【００１９】
ＨＤＭＩドングル２０は、テレビ１０のＨＤＭＩ端子に接続され、映像データをテレビ１０へ供給するものであり、図２に示すように構成することができる。ＨＤＭＩドングル２０は、プロセッサ２１に、ｅＭＭＣにより構成することができる外部記憶装置２２１とＤＤＲ３により構成することができる主記憶装置２２２とを有する記憶装置２２が接続されており、プロセッサ２１が記憶装置２２に記憶されたプログラムを用いて処理を行うコンピュータの構成を採用している。
【００２０】
プロセッサ２１には、通信インタフェース２３と、ＨＤＭＩインタフェース２４、ＰＭＩＣ（パワーマネージメントＩＣ）２５が接続されている。通信インタフェース２３は、Ｗｉ−Ｆｉ（登録商標）などによる無線ＬＡＮインタフェース及びBluetooth（登録商標）通信のためのインタフェースである。ＨＤＭＩインタフェース２４は、ＨＤＭＩケーブルによってテレビ１０のＨＤＭＩ端子に接続される。パワーマネージメントＩＣ２５は、ＵＳＢベースとＡＣアダプタ・ベースのどちらからもバッテリ充電が可能となっており、バッテリ充電と電力供給を行う。
【００２１】
図１には、上記ＨＤＭＩドングル２０の構成中のプロセッサ２１と記憶装置２２を、制御部２１Ａ、記憶部２２Ａとして示している。制御部２１Ａには、監視手段７１、検出手段７２、入力切換制御手段７３、データ送信手段７４が備えられている。監視手段７１は、映像表示装置であるテレビ１０の電源がオンとされたか否かを監視するものである。検出手段７２は、上記監視手段７１によって電源がオンとされたことが検出されると、上記映像表示装置であるテレビ１０に表示すべき映像データの有無を検出するものである。
【００２２】
また、入力切換制御手段７３は、検出手段７２が映像データ有りを検出した場合に、上記映像表示装置であるテレビ１０へ入力切換要求を送出するものである。データ送信手段７４は、入力切換要求が送出された場合に、ネットワークからの映像データを前記映像表示装置へ送信するものである。上記各手段は、プロセッサ２１が記憶装置２２のプログラムを実行することにより実現される。
【００２３】
テレビ１０の要部構成として、制御部１１、入力切換部１２、映像表示部１３及びテレビ操作部１４が示されている。映像表示部１３は、入力切換部１２を介して到来する映像データ（映像信号）を用いて画面に映像を表示する。入力切換部１２は、映像データの入力を切り換えるもので、ここではＨＤＭＩドングル２０とアンテナとの切換えを示すが、これ以外の入力について選択するものであっても良い。
【００２４】
制御部１１は、上記入力切換部１２の切換制御を行うと共に、ＨＤＭＩ−ＣＥＣによりＨＤＭＩドングル２０と接続するインタフェース機能を含むものとする。この実施形態では、テレビ１０の電源スイッチの操作やリモコンの操作により電源がオンとされると、制御部１１は、テレビ操作部１４からの電源のオン信号を受けて、ＨＤＭＩ−ＣＥＣの電源のオンのステータスをＨＤＭＩドングル２０へ送出する。また、制御部１１は、ＨＤＭＩドングル２０からＨＤＭＩ−ＣＥＣの入力切換のコマンドを受けると、入力切換部１２を制御してＨＤＭＩドングル２０から送られる映像データが選択されて映像表示部１３にて表示が行われるように動作する。
【００２５】
サーバ３０は、ＣＭＳ(Content Management System)によって構成することができるデータ登録システム４０から案内やコマーシャルやその他の映像データ（コンテンツ）を受けて、ＨＤＭＩドングル２０へ送出するために保持する。サーバ３０は、ネットワーク上に存在し、図２の通信インタフェース２３を介してＨＤＭＩドングル２０に接続される。
【００２６】
以上のような構成を備える表示システムでは、記憶部２２Ａの所定領域（表示待領域という）に、テレビ１０の電源がオンとされたときに映像表示装置であるテレビ１０に表示すべき映像データを、テレビ１０の電源オンとは関係なく格納しておくことができる（第１の実施形態）。
【００２７】
この第１の実施形態では、図３に示されるフローチャートに示すように、テレビ１０による処理動作が行われ、図４に示されるフローチャートに示すように、ＨＤＭＩドングル２０による処理動作が行われる。
【００２８】
テレビ１０の電源スイッチの操作やリモコンの操作により電源がオンとされると、制御部１１は、ＨＤＭＩ−ＣＥＣの電源のオンのステータスをＨＤＭＩドングル２０へ送出する（Ｓ１１）。一方、ＨＤＭＩドングル２０では、制御部２１Ａが上記ステータスの到来を監視しており（Ｓ２１、Ｓ２２）、上記ステータスによりテレビの電源がオンとなったことが検出されると、ステップＳ２２においてＹＥＳへ分岐し、記憶部２２Ａの表示待領域に映像データが格納されているか否かを検出する（Ｓ２３）。
【００２９】
上記ステップＳ２３においてＮＯとなると、エンドとなる。この後、所定時間後にスタートとなりステップＳ２１から処理が続けられる。一方、ステップＳ２３においてＹＥＳとなると、ＨＤＭＩ−ＣＥＣの入力切換のコマンドをテレビ１０へ送出し（Ｓ２４）、更に記憶部２２Ａの表示待領域に格納されている映像データを送信する（Ｓ２５）。
【００３０】
このとき、制御部１１は、図３のステップＳ１１に続いて入力切換のコマンドの到来を検出しており（Ｓ１２）、上記の入力切換のコマンドを受けると、入力切換部１２を制御して入力をＨＤＭＩドングル２０側へ切換える（Ｓ１３）。この後にＨＤＭＩドングル２０から送信される映像データを受け、この映像データに基づく映像の表示制御を行う（Ｓ１４）。
【００３１】
図４のステップＳ２３においてＮＯへ分岐すると、何も行うことなくエンドとなる。また、図３のステップＳ１２において入力切換コマンドの到来がなければ、例えばアンテナ側を入力とするなどの通常処理を行う（Ｓ１５）。ステップＳ１４以降とステップＳ１５以降においては、テレビ１０に対するオペレータの操作により処理が進行する。
【００３２】
次に第２の実施形態を説明する。この第２の実施形態では、検出手段７２は、ネットワークに接続されたサーバ３０に対して、表示すべき映像データの有無を問い合わせ、この問い合わせ結果に基づき映像表示装置であるテレビ１０に表示すべき映像データの有無を検出するものである。
【００３３】
この第２の実施形態では、図３に示されるフローチャートに示すように、テレビ１０による処理動作が行われる一方、図５に示されるフローチャートに示すように、ＨＤＭＩドングル２０による処理動作が行われる。
【００３４】
制御部１１によりステップＳ１１が実行され、ＨＤＭＩドングル２０の制御部２１ＡがステップＳ２２においてＹＥＳへ分岐すると、表示すべき映像データの有無をサーバ３０に問い合わせ（Ｓ３１）、映像データの有無を検出する（Ｓ３２）。ステップＳ３２においてＹＥＳへ分岐すると、サーバ３０の映像データを取り込んで、記憶部２２Ａの表示待領域へ格納する（Ｓ３３）。以降は第１の実施形態と同様に、ＨＤＭＩ−ＣＥＣの入力切換のコマンドをテレビ１０へ送出し（Ｓ２４）、更に記憶部２２Ａの表示待領域に格納されている映像データを送信する（Ｓ２５）。これに対応するテレビ１０の制御部１１による動作は第１の実施形態と同様であるため、説明を省略する。
【００３５】
表示すべき映像データの有無を、上記第１の実施形態では、記憶部２２Ａの表示待領域に格納された映像データの有無に基づき検出し、第２の実施形態では、サーバ３０に問い合わせたが、これに限定されない。例えば、この両方を行って表示すべき映像データの有無を検出するようにしても良い。また、記憶部２２Ａの表示待領域に格納した映像データは、所定回のテレビ電源オンの後、削除するようにしても良い。また、上記実施形態では、ＨＤＭＩ−ＣＥＣの規格による、電源オンのステータスの信号と入力切換要求のコマンドの信号とを用いたが、電源オンのステータスの信号と入力切換要求のコマンドの信号とを少なくとも含む規格であれば、ＨＤＭＩ−ＣＥＣの規格に限らずに用いることができる。
【符号の説明】
【００３６】
１０  テレビ
１１    制御部
１２    入力切換部
１３    映像表示部
１４    テレビ操作部
２０  ＨＤＭＩドングル
２１    プロセッサ
２１Ａ  制御部
２２  記憶装置
２２Ａ  記憶部
２３  通信インタフェース
２４  ＨＤＭＩインタフェース
３０  サーバ
４０  データ登録システム
７１  監視手段
７２  検出手段
７３  入力切換制御手段
７４  データ送信手段
【図１】
2015053631.tif 000003
【図２】
2015053631.tif 000004
【図３】
2015053631.tif 000005
【図４】
2015053631.tif 000006
【図５】
2015053631.tif 000007